(57)【要約】      （修正有）【課題】使用環境によらず、ユーザが使用できない認証部の使用が強いられない情報処理装置を提供する。【解決手段】情報処理装置１は、少なくとも音声に基づき、ユーザの認証を行う認証部５と、情報処理装置１の向きに基づき、認証部５の音声認証機能を有効または無効にする制御部３と、を備える。制御部３は、情報処理装置１が同じ向きを維持している場合に、認証部５の音声認証機能を有効にし、情報処理装置１が同じ向きを維持していない場合に、認証部５の音声認証機能を無効にする。【選択図】図１
2020067906.tif 000002
【特許請求の範囲】
【請求項１】
情報処理装置であって、
少なくとも音声に基づき、ユーザの認証を行う認証部と、
前記情報処理装置の向きに基づき、前記認証部の音声認証機能を有効または無効にする制御部と、を備えることを特徴とする情報処理装置。
【請求項２】
前記制御部は、前記情報処理装置が同じ向きを維持している場合に、前記認証部の音声認証機能を有効にすることを特徴とする請求項１に記載の情報処理装置。
【請求項３】
前記制御部は、所定の時間の間、前記情報処理装置が同じ向きを維持している場合に、前記認証部の音声認証機能を有効にすることを特徴とする請求項１または２に記載の情報処理装置。
【請求項４】
前記制御部は、前記情報処理装置が同じ向きを維持していない場合に、前記認証部の音声認証機能を無効にすることを特徴とする請求項１〜３のいずれか１項に記載の情報処理装置。
【請求項５】
前記制御部は、前記情報処理装置が予め定められた向きを維持している場合に、前記認証部の音声認証機能を有効にすることを特徴とする請求項１〜４のいずれか１項に記載の情報処理装置。
【請求項６】
前記制御部は、前記認証部の音声認証機能が有効になってから所定の時間が経過した場合に、前記認証部の音声認証機能を無効にすることを特徴とする請求項１〜５のいずれか１項に記載の情報処理装置。
【請求項７】
前記制御部は、前記ユーザが前記情報処理装置を把持した場合に、前記認証部の音声認証機能を無効にすることを特徴とする請求項１〜６のいずれか１項に記載の情報処理装置。
【請求項８】
情報処理装置の制御方法であって、
少なくとも音声に基づき、ユーザの認証を行うことと、
前記情報処理装置の向きに基づき、音声認証機能を有効または無効にすることと、を含むことを特徴とする情報処理装置の制御方法。
【請求項９】
請求項１〜７のいずれか１項に記載の情報処理装置としてコンピュータを機能させるための情報処理プログラムであって、前記認証部および制御部として前記コンピュータを機能させるための情報処理プログラム。
【請求項１０】
請求項９に記載の情報処理プログラムを記録したコンピュータ読み取り可能な記録媒体。
【発明の詳細な説明】
【技術分野】
【０００１】
本発明は、情報処理装置、情報処理装置の制御方法、情報処理プログラムおよび記録媒体に関する。
【背景技術】
【０００２】
近年、携帯電話、スマートフォン、パーソナルコンピュータおよびＰＤＡ（Personal Digital Assistant）などの情報処理装置の中には、被認証者の認証を行う認証部を備え、被認証者が正規のユーザであると認証されると、操作可能となるものがある。
【０００３】
例えば、特許文献１には、情報処理装置であって、前記情報処理装置の使用環境を検出する検出部と、通知部と、被認証者の生体情報を用いて認証を行う認証手段を複数備える認証部と、前記複数の認証手段それぞれについて、前記情報処理装置の使用環境に応じた使用条件を記憶する記憶部と、認証要求が入力されると、前記記憶部に記憶されている使用条件と前記検出部の検出結果とに応じて、前記複数の認証手段のいずれを使用して認証を行うかを決定し、前記通知部を介して使用する認証手段を前記被認証者に通知する制御部と、を有することを特徴とする情報処理装置が記載されている。
【先行技術文献】
【特許文献】
【０００４】
【特許文献１】特開２０１３−２５４３１５号公報
【発明の概要】
【発明が解決しようとする課題】
【０００５】
しかしながら、上述のような従来技術では、使用環境によっては、ユーザが使用できない認証部の使用が強いられる可能性がある。
【０００６】
本発明の一態様は、使用環境によらず、ユーザが使用できない認証部の使用が強いられない情報処理装置およびその関連技術を提供することを目的とする。
【課題を解決するための手段】
【０００７】
上記の課題を解決するために、本発明の一態様に係る情報処理装置は、情報処理装置であって、少なくとも音声に基づき、ユーザの認証を行う認証部と、前記情報処理装置の向きに基づき、前記認証部の音声認証機能を有効または無効にする制御部と、を備える。
【０００８】
本発明の一態様に係る情報処理装置の制御方法は、情報処理装置の制御方法であって、少なくとも音声に基づき、ユーザの認証を行うことと、前記情報処理装置の向きに基づき、音声認証機能を有効または無効にすることと、を含む。
【発明の効果】
【０００９】
本発明の一態様によれば、使用環境によらず、ユーザが使用できない認証部の使用が強いられない情報処理装置およびその関連技術を提供することができる。
【図面の簡単な説明】
【００１０】
【図１】本発明の実施形態１に係る情報処理装置の構成を示すブロック図である。
【図２】本発明の実施形態１に係る情報処理装置の記憶部に格納されているテーブルの一例を示す図である。
【図３】本発明の実施形態１に係る情報処理装置の記憶部に格納されているテーブルの一例を示す図である。
【図４】本発明の実施形態１に係る情報処理装置の記憶部に格納されているテーブルの一例を示す図である。
【図５】本発明の実施形態１に係る情報処理装置の制御処理の流れの一例を示すフローチャートである。
【図６】本発明の実施形態１に係る情報処理装置の制御処理の流れの一例を示すフローチャートである。
【図７】本発明の実施形態２に係る情報処理装置の構成を示すブロック図である。
【発明を実施するための形態】
【００１１】
＜実施形態１＞
以下、図１〜６を用いて本発明の実施形態１に係る情報処理装置１について説明する。
【００１２】
〔情報処理装置１〕
図１は、本発明の実施形態１に係る情報処理装置１の構成を示すブロック図である。情報処理装置１としては、例えば、携帯電話、スマートフォン、携帯型ゲーム機およびＰＤＡなどの端末ならびにパーソナルコンピュータなどが挙げられる。図１に示すように、情報処理装置１は、検出部２と、制御部３と、記憶部４と、認証部５と、通知部６とを備えている。
【００１３】
（検出部２）
検出部２は、例えば、加速度センサまたは地磁気センサなどを備えており、情報処理装置１の傾き度、すなわち、情報処理装置１の向き（方向）を検出する。
【００１４】
検出部２は、所定の時間（一定時間）の間、情報処理装置１の向きを検出する。検出部２は、所定の時間の間、任意の時間経過する毎に、情報処理装置１の向きを検出してもよい。例えば、検出部２は、所定の時間が５秒である場合、１秒毎の情報処理装置１の向きを５回検出してもよい。
【００１５】
検出部２は、情報処理装置１の向きのデータを制御部３に出力する。制御部３は、記憶部４に、検出部２から出力された情報処理装置１の向きのデータを格納する。
【００１６】
（制御部３）
制御部３は、各部（検出部２、記憶部４、認証部５および通知部６）の制御を行う。具体的には、制御部３は、各部から取得することができる情報の制御を行う。
【００１７】
また、制御部３は、検出部２によって検出された情報処理装置１の向きのデータを取得する。制御部３は、情報処理装置１の向きに基づき、認証部５の音声認証機能、すなわち、音声認証部（認証部）７を有効または無効にする。
【００１８】
制御部３は、記憶部４のテーブルに格納された情報処理装置１の向きのデータを参照し、認証部５における音声認証部７を有効にするか否かを決定する。制御部３は、所定の時間の間、情報処理装置１が同じ向きを維持している場合に、認証部５の音声認証機能、すなわち、音声認証部７を有効にする。所定の時間の間、情報処理装置１が同じ向きを維持していないと制御部３が判定した場合、制御部３は、記憶部４に格納されているテーブルにおけるデータを消去する。ここで、テーブルにおけるデータを消去するとは、最新のデータ以外の全てのデータを消去することを意味する。そして、制御部３は、再び、記憶部４のテーブルに新たに格納された情報処理装置１の向きのデータを参照し、音声認証部７を有効にするか否かを決定する。
【００１９】
また、制御部３は、情報処理装置１が同じ向きを維持していない場合に、認証部５の音声認証機能、すなわち、音声認証部７を無効にする。音声認証部７が既に無効である場合には、制御部３は音声認証部７を無効のままにし、音声認証部７が有効である場合には、制御部３は音声認証部７を有効から無効にする。
【００２０】
上述の構成によれば、制御部３は、情報処理装置１の向きに基づき、音声認証部７を有効または無効にするか否かを決定する。そのため、例えば、制御部３は、情報処理装置１の向きが所定の時間の間変化しない場合に、音声認証部７を有効にすることで、ユーザが手を使えない使用環境にあっても、指紋認証部（不図示）など、手を使う認証部５を用いる必要がなくなる。このように、上述の制御部３の構成によれば、使用環境によらず、ユーザが使用できない音声認証部７の使用が強いられることがない。
【００２１】
（記憶部４）
記憶部４は、制御部３が検出部２から取得した情報処理装置１の向きのデータを記憶する。記憶部４は、例えば、情報処理装置１の向きのデータをテーブルに格納することで記憶する。ここでは、記憶は、一時記憶のことを指す。
【００２２】
以下に、記憶部４に格納されているテーブルについて、図２〜４を用いて説明する。図２〜４は、本発明の実施形態１に係る情報処理装置１の記憶部４に格納されているテーブルの一例を示す図である。
【００２３】
具体的には、図２は、検出部２によって情報処理装置１の向きが検出される前のテーブルを示す図である。ここで、図２の時刻とは、情報処理装置１の向きの検出を開始した時刻である。経過した時間とは、情報処理装置１の検出を開始してから経過した時間である。加速度センサの値とは、加速度センサである検出部２が検出した値である。音声認証機能とは、認証部５における音声認証部７の機能のことであり、ここでは、音声認証部７が有効であるか無効であるかを示している。
【００２４】
なお、制御部３は、情報処理装置１の向きの検出を開始してから経過した時間を計測する経時部（不図示）として機能し、当該経過した時間を、図２〜４に示す記憶部４のテーブルに格納してもよい。
【００２５】
図３は、任意の時間（例えば、１秒間）経過する毎に検出部２によって検出された情報処理装置１の向きのデータが格納されたテーブルを示す図である。図３から明らかなように、検出を開始してから経過した時間は４秒間であり、検出部２によって１秒毎に検出された情報処理装置１の傾きは、同じ向きを４秒間維持している。
【００２６】
図４は、検出部２によって検出された情報処理装置１の向きが所定の時間（例えば、５秒間）維持された結果、認証部５における音声認証機能、すなわち、音声認証部７が有効になり、更新されたテーブルを示す図である。図４に示すように、更新されたテーブルでは、更新前の検出開始時刻から所定の時間経過した時刻が、新たに検出を開始する時刻として格納されている。図４から明らかなように、制御部３は、所定の時間が経過した場合、テーブルから最新のデータ以外のデータを消去し、音声認証機能を無効から有効にすることで、記憶部４のデータを更新する。このように、制御部３が記憶部４のテーブルのデータを更新することと、記憶部４のテーブルのデータを単に削除することとは、更新する場合、音声認証機能をさらに変更する点において異なる。
【００２７】
（認証部５）
認証部５は、ユーザの認証を行う。認証部５は、少なくとも音声に基づき、ユーザの認証を行う音声認証部７を備えている。音声認証部７は、情報処理装置１のマイク（不図示）などから入力された音声に基づき、ユーザの認証を行う。
【００２８】
認証部５は、音声認証部７以外に、例えば、ユーザの顔画像を用いて認証を行う顔認証部（不図示）およびユーザの指紋を用いて認証を行う指紋認証部（不図示）など、ユーザの生体情報を用いた１以上の認証部を複数備えていてもよい。これにより、例えば、周囲が静かではなく、音声認証部７が使用できない場合にも、指紋認証部など、他の認証部によってユーザを認証することができる。
【００２９】
（通知部６）
通知部６は、制御部３の制御に基づき、ユーザに通知を行う。通知部６の具体例としては、文字および映像などの表示することでユーザに通知を行う表示部、および、音声を出力してユーザに通知を行う音声出力部などが挙げられる。
【００３０】
以下に通知部６の通知例を説明する。例えば、ユーザが情報処理装置１の音声認証部７に対し、「点灯」など、特定の発話を行い、音声認証部７がユーザから発話された音声からユーザを認証したとする。この場合、通知部６は、制御部３の制御に基づき、情報処理装置１の画面を点灯させることによって、ユーザに通知を行う。また、ユーザが情報処理装置１の音声認証部７に対し、ｘｘｘさんに電話するなど、特定の発話をしたとする。この場合、通知部６は、ｘｘｘさんにユーザの発話内容の音声を出力する。
【００３１】
〔情報処理装置１の制御処理〕
以下に、情報処理装置１の制御処理（情報処理装置の制御方法）に１および２について、図５および６を用いて説明する。
【００３２】
情報処理装置１の制御処理１は、制御部３が、情報処理装置１の向きに基づき、音声認証部７を有効にするか否かを決定する処理でもある。情報処理装置１の制御処理２は、制御部３が、情報処理装置１の向きに基づき、音声認証部７を無効にするか否かを決定する処理でもある。
【００３３】
（情報処理装置１の制御処理１）
図５は、本発明の実施形態１に係る情報処理装置１の制御処理の流れの一例を示すフローチャートである。
【００３４】
ステップＳ１において、情報処理装置１の制御部３は、情報処理装置１の検出部２が検出した情報処理装置１の向きのデータを取得する。例えば、検出部２が加速度センサである場合、制御部３は、情報処理装置１の向きのデータを加速度センサの値として取得する。
【００３５】
ステップＳ２において、制御部３は、情報処理装置１の記憶部４に、取得した情報処理装置１の向きのデータを記憶（保持）する。例えば、制御部３は、情報処理装置１の向きの検出を開始してから経過した時間を計測する経時部として機能し、当該経過した時間を、図２〜４に示す記憶部４のテーブルに格納してもよい。また、検出部２が加速度センサである場合、制御部３は、検出部２から取得した加速度センサの値を記憶部４のテーブルに格納してもよい。
【００３６】
ステップＳ３において、制御部３は、例えば、記憶部４に格納されたテーブルのデータを参照（比較）することにより、情報処理装置１が同じ向きを維持しているか否かを判定する。情報処理装置１が同じ向きを維持していないと制御部３が判定した場合（ステップＳ５のＮＯ）、ステップＳ４の処理に進む。情報処理装置１が同じ向きを維持していると制御部３が判定した場合（ステップＳ３のＹＥＳ）、ステップＳ５の処理に進む。
【００３７】
ステップＳ４において、制御部３は、記憶部４のデータを消去し、ステップＳ１の処理に戻る。
【００３８】
ステップＳ５において、制御部３は、情報処理装置１の向きのデータを取得してから所定の時間が経過したか否かを判定する。例えば、所定の時間が５秒（５０００ｍｓ）であり、制御部３は、１秒（１０００ｍｓ）毎に検出部２によって検出された情報処理装置１の向きを取得したとする。この場合、経過した時間が５秒となり、テーブルが更新されていれば、制御部３は、所定の時間が経過したと判定する。所定の時間が経過していないと制御部３が判定した場合（ステップＳ５のＮＯ）、ステップＳ１の処理に戻り、所定の時間が経過するまでステップＳ１〜Ｓ５の処理を繰り返す。所定の時間が経過したと制御部３が判定した場合（ステップＳ５のＹＥＳ）、ステップＳ６の処理に進む。
【００３９】
ステップＳ６において、制御部３は、情報処理装置１の認証部５の音声認証機能、すなわち、音声認証部７を有効にする。
【００４０】
ステップＳ７において、制御部３は、記憶部４のデータを更新し、情報処理装置１の制御処理を終了する。例えば、制御部３は、図４に示すように、記憶部４に格納されているテーブルから最新のデータ以外のデータを消去し、音声認証機能を無効から有効にすることで、記憶部４のデータを更新する。
【００４１】
（情報処理装置１の制御処理２）
図６は、本発明の実施形態１に係る情報処理装置１の制御処理の流れの一例を示すフローチャートである。
【００４２】
ステップＳ１１において、情報処理装置１の制御部３は、情報処理装置１の認証部５における音声認証部７が有効であるか否かを判定する。音声認証部７が無効である、すなわち、有効でないと制御部３が判定した場合（ステップＳ１１のＮＯ）、情報処理装置１の制御処理を終了する。音声認証部７が有効であると制御部３が判定した場合（ステップＳ１１のＹＥＳ）、ステップＳ１２の処理に進む。
【００４３】
ステップＳ１２において、制御部３は、情報処理装置１の検出部２が検出した情報処理装置１の向きのデータを取得する。例えば、検出部２が加速度センサである場合、制御部３は、情報処理装置１の向きのデータを加速度センサの値として取得する。
【００４４】
ステップＳ１３において、制御部３は、取得した情報処理装置１の向きのデータと、記憶部４のデータとを比較する。例えば、制御部３は、取得した情報処理装置１の向きのデータと、記憶部４のテーブルの最新のデータとを比較する。
【００４５】
ステップＳ１４において、制御部３は、ステップＳ１３において、取得した情報処理装置１の向きのデータと記憶部４のデータとを比較することで、情報処理装置１が同じ向きを維持しているか否かを判定する。情報処理装置１が同じ向きを維持していると制御部３が判定した場合（ステップＳ１４のＹＥＳ）、ステップＳ１１の処理に戻り、ステップＳ１１〜Ｓ１４の処理を繰り返す。情報処理装置１が同じ向きを維持していないと制御部３が判定した場合（ステップＳ１４のＮＯ）、ステップＳ１５の処理に進む。
【００４６】
ステップＳ１５において、制御部３は、認証部５の音声認証機能、すなわち、音声認証部７を無効にする。
【００４７】
ステップＳ１６において、制御部３は、記憶部４のデータを更新し、情報処理装置１の制御処理を終了する。例えば、制御部３は、記憶部４に格納されているテーブルから最新のデータ以外のデータを消去し、音声認証機能を有効から無効にすることで、記憶部４のデータを更新する。
【００４８】
＜実施形態２＞
実施形態１に係る情報処理装置１における各部は、実施形態２に係る情報処理装置１１のように、さらなる機能を備えていてもよい。
【００４９】
以下、実施形態２に係る情報処理装置１１について、図７を用いて説明する。なお、説明の便宜上、実施形態１にて説明した部材と同じ機能を有する部材については、同じ符号を付記し、その説明を省略する。
【００５０】
〔情報処理装置１１〕
図７は、本発明の実施形態２に係る情報処理装置１１の構成を示すブロック図である。図７に示すように、情報処理装置１１は、実施形態１に係る情報処理装置１の制御部３、記憶部４、認証部５および通知部６の代わりに、制御部１３、記憶部１４、認証部１５および通知部１６を備えている。この点以外は、情報処理装置１１は、実施形態１に係る情報処理装置１と同様の構成である。
【００５１】
（制御部１３）
制御部１３は、制御部３の機能に加え、予め定められた、音声認証部１７を有効にする情報処理装置１１の向きを記憶部１４に記憶させる。当該予め定められた向きは、情報処理装置１１にユーザが入力したものであってもよい。制御部１３は、情報処理装置１１が予め定められた向きを維持している場合に、認証部１５の音声認証機能、すなわち、音声認証部１７を有効にする。また、制御部１３は、情報処理装置１１が予め定められた向きを所定の時間の間維持している場合のみ、音声認証部１７を有効にしてもよい。
【００５２】
なお、情報処理装置１１が、通信部（不図示）をさらに備えている場合、制御部１３は、記憶部１４の代わりに、通信部を介してネットワーク経由でサーバ（不図示）上に、予め定められた音声認証部１７を有効にする情報処理装置１１の向きを記憶させてもよい。この場合、制御部１３は、サーバに記憶された、予め定められた情報処理装置１１の向きに基づいて音声認証部１７を有効にする。
【００５３】
また、制御部１３は、ＧＰＳから位置情報および日時などをさらに取得することで、特定の場所および時間帯などのみにおいて、情報処理装置１１が予め定められた向きを維持している場合に、音声認証部１７を有効にしてもよい。
【００５４】
また、制御部１３は、端末などの情報処理装置１１の地面に対する角度が変化した場合、音声認証部１７を無効にしてもよい。
【００５５】
また、制御部１３は、音声認証部１７が有効になってから所定の時間が経過した場合に、認証部１５の音声認証機能、すなわち、音声認証部１７を無効にしてもよい。これにより、実施形態１に係る情報処理装置１と異なり、情報処理装置１が同じ向きを維持していないか否かを判定することなく、音声認証部１７を無効にすることができる。
【００５６】
また、制御部１３は、ユーザが情報処理装置１１を把持した場合に、認証部１５の音声認証機能、すなわち、音声認証部１７を無効にしてもよい。例えば、検出部２がグリップセンサであり、ユーザが情報処理装置１１を把持したことをグリップセンサが検知した場合、制御部１３は、ユーザが手を使う認証部５を用いることができる使用環境にあると判定し、音声認証部１７を無効にしてもよい。これにより、ユーザの使用環境に応じて適切な認証部５のみを有効にすることができる。
【００５７】
（記憶部１４）
記憶部１４は、記憶部４の機能に加え、予め定められた、音声認証部１７を有効にする情報処理装置１１の向きを記憶する。
【００５８】
なお、情報処理装置１１が、通信部をさらに備えている場合、記憶部１４の代わりに、通信部を介してネットワーク接続されるサーバ上に記憶部１４に記憶する情報を記憶してもよい。
【００５９】
（認証部１５）
認証部１５は、実施形態１における音声認証部７の代わりに、音声認証部１７を備えている。
【００６０】
音声認証部１７は、声紋認証による音声認証、または、一定レベルの音量の音が聞こえた場合に有効になる。音声認証部１７は、情報処理装置１１のマイクなどから入力された音声に特定のキーワードが含まれていた場合のみ、有効になってもよい。
【００６１】
（通知部１６）
通知部１６は、通知部６の機能に加え、表示部１８をさらに備えている。
【００６２】
表示部１８は、ユーザへの各種情報を表示する。例えば、表示部１８は、認証部１５が有効になったことを、画面点灯することでユーザに通知する。
【００６３】
表示部１８は、音声認証部１７が有効になった場合に、ＬＥＤの光り方を変更する。これにより、音声認証部１７が有効になったことをより好適にユーザに通知することができる。
【００６４】
また、表示部１８は、音声認証部１７が有効になった場合に、マイクなどから入力された音声によって、表示部１８の画面スクロールを制御できる「閲覧モード」になってもよい。これにより、ユーザが手を使えない使用環境にあっても、ユーザに、好適に表示部１８の画面をスクロールさせることができる。
【００６５】
〔ソフトウェアによる実現例〕
情報処理装置１および１１の制御ブロック（特に制御部３、１３および認証部５、１５）は、集積回路（ＩＣチップ）などに形成された論理回路（ハードウェア）によって実現してもよいし、ソフトウェアによって実現してもよい。
【００６６】
後者の場合、情報処理装置１および１１は、各機能を実現するソフトウェアである情報処理プログラムの命令を実行するコンピュータを備えている。このコンピュータは、例えば少なくとも１つのプロセッサ（制御装置）を備えていると共に、上記情報処理プログラムを記憶したコンピュータ読み取り可能な少なくとも１つの記録媒体を備えている。そして、上記コンピュータにおいて、上記プロセッサが上記情報処理プログラムを上記記録媒体から読み取って実行することにより、本発明の目的が達成される。上記プロセッサとしては、例えばＣＰＵ（Central Processing Unit）を用いることができる。上記記録媒体としては、「一時的でない有形の媒体」、例えば、ＲＯＭ（Read Only Memory）などの他、テープ、ディスク、カード、半導体メモリ、プログラマブルな論理回路などを用いることができる。また、上記情報処理プログラムを展開するＲＡＭ（Random Access Memory）などをさらに備えていてもよい。また、上記情報処理プログラムは、該情報処理プログラムを伝送可能な任意の伝送媒体（通信ネットワークや放送波など）を介して上記コンピュータに供給されてもよい。なお、本発明の一態様は、上記情報処理プログラムが電子的な伝送によって具現化された、搬送波に埋め込まれたデータ信号の形態でも実現され得る。
【００６７】
〔まとめ〕
本発明の態様１に係る情報処理装置は、情報処理装置であって、少なくとも音声に基づき、ユーザの認証を行う認証部と、前記情報処理装置の向きに基づき、前記認証部の音声認証機能を有効または無効にする制御部と、を備える。
【００６８】
本発明の態様２に係る情報処理装置は、上記態様１において、前記制御部は、前記情報処理装置が同じ向きを維持している場合に、前記認証部の音声認証機能を有効にしてもよい。
【００６９】
本発明の態様３に係る情報処理装置は、上記態様１または２において、前記制御部は、所定の時間の間、前記情報処理装置が同じ向きを維持している場合に、前記認証部の音声認証機能を有効にしてもよい。
【００７０】
本発明の態様４に係る情報処理装置は、上記態様１〜３のいずれか１において、前記制御部は、前記情報処理装置が同じ向きを維持していない場合に、前記認証部の音声認証機能を無効にしてもよい。
【００７１】
本発明の態様５に係る情報処理装置は、上記態様１〜４のいずれか１において、前記制御部は、前記情報処理装置が予め定められた向きを維持している場合に、前記認証部の音声認証機能を有効にしてもよい。
【００７２】
本発明の態様６に係る情報処理装置は、上記態様１〜５のいずれか１つにおいて、前記制御部は、前記認証部の音声認証機能が有効になってから所定の時間が経過した場合に、前記認証部の音声認証機能を無効にしてもよい。
【００７３】
本発明の態様７に係る情報処理装置は、上記態様１〜６のいずれか１つにおいて、前記制御部は、前記ユーザが前記情報処理装置を把持した場合に、前記認証部の音声認証機能を無効にしてもよい。
【００７４】
本発明の態様８に係る情報処理装置の制御方法は、情報処理装置の制御方法であって、少なくとも音声に基づき、ユーザの認証を行うことと、前記情報処理装置の向きに基づき、音声認証機能を有効または無効にしてもよい。
【００７５】
本発明の各態様に係る情報処理装置は、コンピュータによって実現してもよく、この場合には、コンピュータを上記情報処理装置が備える各部（ソフトウェア要素）として動作させることにより上記情報処理装置をコンピュータにて実現させる情報処理装置の情報処理プログラム、およびそれを記録したコンピュータ読み取り可能な記録媒体も、本発明の範疇に入る。
【００７６】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００７７】
１、１１  情報処理装置
２        検出部
３、１３  制御部
４        記憶部
５、１５  認証部
６、１６  通知部
７、１７  音声認証部（認証部）
１８      表示部
【図１】
2020067906.tif 000003
【図２】
2020067906.tif 000004
【図３】
2020067906.tif 000005
【図４】
2020067906.tif 000006
【図５】
2020067906.tif 000007
【図６】
2020067906.tif 000008
【図７】
2020067906.tif 000009